(57)【要約】 【課題】  本発明は、増毛用毛髪を自毛に結ぶ際の頭髪や毛髪を掛けまわし又は掛けまわした間に挿入して頭髪や毛髪等を絡めるための増毛用結び具であって、フック部とベラ部とで該頭髪や毛髪を挟み込んだのちに、簡単にベラ部を回動してフック部を開放状態とするための増毛用結び具である。【解決手段】  内部を連通する中空状の把持部とこれに連設する中空状の棒状突出部を有し、棒状突出部の先端部はフック部を有し、該フック部の基部に軸部を有して軸支を有するベラ部を有し、該ベラ部は前記軸部により長手部分が回動してフック部の開口部を封鎖するものであり、該把持部と棒状突出部内の空洞内には空洞内を移動可能な制御棒を有し、該制御棒の一端がベラ部の軸部を介して長手方向と対向する反対方向の端部に達する長さを有する増毛用結び具である。【選択図】    図２
2019210562.tif 000002
【特許請求の範囲】
【請求項１】
内部を連通する中空状の把持部１とこれに連設する中空状の棒状突出部２を有し、
棒状突出部２の先端部はフック部２１を有しており、
該フック部２１の基部に軸部３１を有して軸支するベラ部３を有しており、
該ベラ部３は前記軸部３１により長手部分が回動してフック部２１の開口部を封鎖するものであり、
該把持部１と棒状突出部２内の空洞内には空洞内を移動可能な制御棒４を有するものであって、
該制御棒４の一端がベラ部３の軸部３１を介して長手方向と対向する反対方向の端部に達する長さを有するものであることを特徴とする増毛用結び具。
【請求項２】
制御棒４の一端に制御棒４と連動する突出片６を有し、該突出片６が把持部１の外部に突出していることを特徴とする請求項１記載の増毛用結び具。
【請求項３】
制御棒４がコイルバネ５によって付勢されていることを特徴とする請求項１又は２のいずれかに記載の増毛用結び具。
【発明の詳細な説明】
【技術分野】
【０００１】
本発明は、増毛用毛髪を自毛に結ぶ際に用いる増毛用結び具であり、その先端部にフック部とこのフック部の開口部を封鎖するベラ部とを有する増毛用結び具に関する。
【背景技術】
【０００２】
加齢のみならず病気などによって頭髪が少なくなることがあり、この少なくなった頭髪を補うために植毛して頭髪を増やす手段や増毛により頭髪を増やす手段が取られている。
この植毛手段は頭皮に対して直接人工毛等を植えることによって行われることから増毛を図ることができる。
しかしこの植毛に際しては費用が多大に係ることから、自らの頭髪を利用して増毛する手段により増毛することも多用されている。
【０００３】
この場合増毛に対しては、自ら有する頭髪に増毛用頭髪を結びつけることによって増毛するものである。
従ってこの増毛用頭髪を結びつけるために用いる器具としては、頭髪を掛けて結びつけるために長手形状の本体の一端にフック部を設けるとともにこのフック部の開口部分を封鎖するベラ部を有する増毛用結び具が用いられている。
即ち裁縫用のタッピが用いられているものである。
【０００４】
この増毛用の結び具は、増毛用の結び目を形成するために例えば特開２００７−１２６８０２号(特許文献１)に示す増毛結び具や実用新案登録第３０７２４０１号(特許文献２)に示す増毛結び器具が存在する。
また特許第５１９９４９６号(特許文献３)に示す地毛結び具、特開２０１１−２０２３２４号(特許文献４)に示す増毛用結び具がある。
更に特開２０１４−６５９８１号(特許文献５)にはタッピの一使用例を示してもいる。
【先行技術文献】
【特許文献】
【０００５】
【特許文献１】特開２００７−１２６８０２号
【特許文献２】実用新案登録第３０７２４０１号
【特許文献３】特許第５１９９４９６号
【特許文献４】特開２０１１−２０２３２４号
【特許文献５】特開２０１４−６５９８１号
【発明の概要】
【発明が解決しようとする課題】
【０００６】
以上の様に、増毛時に増毛用頭髪を結びつけるために用いる器具としてタッピやその他、増毛用結び具を用いて、自ら有する頭髪に増毛用頭髪を結びつけることによって増毛する手段を用いているものである。
しかし、この場合例えばタッピを用いた場合には長手形状の本体の一端のフック部に頭髪を掛けてベラ部を用いてこのフック部の開口部分を閉じ、使用するものである。
【０００７】
従ってベラ部を用いてフック部の開口を閉じた状態で頭髪や毛髪を掛けまわし、又は掛けまわした間に挿入して頭髪や毛髪等を絡めるものとなる。
この際にベラ部を用いてフック部が閉じた状態となっていることからこの増毛用結び具で外部まで引き出せる状態にして初めてベラ部を動かしてフック部を開くことができる。
【０００８】
このことは増毛に際してタッピ等の頭髪や毛髪等を挟み込んで結びつけるために掛けまわす増毛用結び具に関しては、これらの毛髪等を一旦挟んだ場合にこのフック部に掛けた毛髪等をフック部から外す際に頭髪や毛髪類全体を引きぬいた場合か、或いはこのフック部とベラ部がこれらの毛髪類内から外部に出て、作業者の手でベラ部を開くことが必要となってしまう。
従って、作業時にはフック部にかけた頭髪や毛髪を外す際に制限を受けることから使用に際してどうしても一定の制限を受けてしまうものとなる。
【０００９】
このことより、より作業性が高く、作業効率の高い増毛用結び具の提供が求められるものであって、係る作業性の高い増毛用結び具の提供を課題とする。
【課題を解決するための手段】
【００１０】
以上のように係る課題を見事に解決するため、請求項１に係る発明は内部を連通する中空状の把持部とこれに連設する中空状の棒状突出部を有し、棒状突出部の先端部はフック部を有しており、該フック部の基部に軸部を有して軸支を有するベラ部を有しており、該ベラ部は前記軸部により長手部分が回動してフック部の開口部を封鎖するものであり、該把持部と棒状突出部内の空洞内には空洞内を移動可能な制御棒を有するものであって、該制御棒の一端がベラ部の軸部を介して長手方向と対向する反対方向の端部に達する長さを有する増毛用結び具からなり、係る発明によって前記課題を解決できる。
【００１１】
更に、係る場合に請求項２に係る発明は制御棒の一端に制御棒と連動する突出部を有し、該突出片が把持部の外部に突出して増毛用結び具であって、係る発明を用いてもよい。
或いはこれらの場合に、請求項３に係る発明のように制御棒がコイルバネによって付勢されている増毛用結び具を用いてもよい。
【発明の効果】
【００１２】
このように構成したことから、まず請求項１に係る発明により、制御棒によってベラ部を回動することができるものであって、特にベラ部については軸部を有して軸支していることから回動可能である。
更に該制御棒の一端がベラ部の軸部を介して長手方向と対向する反対方向の端部に達する長さを有し、ベラ部を軸部を介して回転させることができるものである。  
【００１３】
従ってフック部とベラ部によって閉鎖した状態から、制御棒を用いてベラ部を回転させてフック部を開いた状態にできるものとなる。
このことにより作業中にベラ部を回転させて開いて毛髪等をこのフック部から外すことができる。  これにより増毛の作業性を向上させることができ、より効率的な作業性の高い増毛作業を行えることとなる。
【００１４】
更に請求項２に係る発明によって、制御棒の一端に制御棒と連動する突出片を有すると共に、該突出片が把持部の外部に突出するものであり、この突出片を用いてこれと連動する制御棒を移動することができるものである。
従って係る突出片により制御棒を移動させてベラ部を移動させてフック部を開いた状態にすることが可能である。
【００１５】
更に請求項３に係る発明によって制御棒がコイルバネによって付勢されていることから、この弾力に抗して突出片を移動させることができるものとなる。
【図面の簡単な説明】
【００１６】
【図１】本発明に係る増毛用結び具の一例を示す図。
【図２】本発明に係る増毛用結び具の一例の拡大断面図。
【図３】本発明に係る増毛用結び具の一例の拡大断面図。
【図４】タッピの一例を示す図
【発明を実施するための形態】
【００１７】
図１は、本発明に係る増毛用結び具の一例を示す図である。
本図に示す構成は本発明に係る増毛用結び具の一例を示す図であり、手で把持するための把持部１と、この把持部１に連設している棒状突出部２とを有する。
この棒状突出部２の先端は返しがついており、フック部２１を形成している。  更にこのフック部２１の基部には軸部３１を有する棒状のベラ部３を有している。
【００１８】
従ってこのベラ部３はその一端方向でフック部２１の基部に軸支されており、棒状のベラ部３の長手部分がこの軸部３１を支点として回動し、フック部２１の開口部分を封鎖するものである。
即ちフック部２１の基部に軸部３１を有して軸支するベラ部３を有する。
本図においてはベラ部３によってフック部２１の開口部分が封鎖されている状態を示している。
【００１９】
従って例えば頭髪や増毛用の毛髪等をこのフック部２１にかけてベラ部３を用いて開口を封鎖し、この状態で頭髪や毛髪を掛けまわし、又は掛けまわした間に挿入して頭髪や毛髪等を絡めるなどの作業を行うことができる。
即ち、このベラ部３の軸部３１を介した棒状の長手部分が、回動することにより棒状突出部２の先端に形成したフック部２１の開いた部分を開閉自在に閉じ又は開くことができるものであり、更にはこれと同時に同様にベラ部３の軸部３１を介した対向する反対方向の端部も逆方向に回動するものとなる。
【００２０】
尚、把持部１本体内には空洞を有しており、空洞内には制御棒４を有していると共にこの制御棒４は弾性部材で一方向に付勢されているものである。
また棒状突出部２も空洞となっており、把持部１本体の空洞とつながっている。
更に制御棒４は把持部１本体の空洞内部からさらに棒状突出部２内の空洞部にまで延在している。
【００２１】
この付勢は、把持部１本体から突出している突出片６を操作することにより付勢に抗して制御棒４の先端をベラ部３の軸部３１を介して長手方向に対向する反対方向の端部に接しさせるとともにこの部分を押して、軸部３１を介するベラ部３の長手部分の回転を行うことができる。
従って、該制御棒４の一端がベラ部３の軸部３１を介して長手方向と対向する反対方向の端部に達する長さを有するものであることが必要である。
【００２２】
図２は、図１に示す本発明に係る増毛用結び具の一部拡大断面図である。  即ち棒状突出部２のフック部２１の開口部分をベラ部３によって閉じた状態の一例を示す図である。
把持部１とこの把持部１の内部空洞部に連設する中空状の棒状突出部２の空洞は連通しており、この空洞部内に制御棒４を有している。
この制御棒４は長尺形状を有し、その一端は該ベラ部３の長手方向と対向する反対方向の端部方向に向かって延在配置しているものである。
【００２３】
制御棒４の他端は把持部１の空洞内の移動板７に接しているものである。
この移動板７には突出片６が連設おり、把持部１の空洞内から外部に突出している。
従ってこの突出片６と制御棒４とは連動しており、この突出片６を棒状突出部２方向に押すことによって制御棒４をベラ部３方向に移動させることができる。
尚、この連動構造は一例であり、この構成に限定されるものではなく、少なくとも制御棒４と突出片６とが連動するものであればよい。
【００２４】
更にこの移動板７にはコイルバネ５を有しており、移動板７を棒状突出部２方向から離す方向に付勢している。
従って、通常時にはこのコイルバネ５によって制御棒４はベラ部３から離れる方向に付勢されており、突出片６を用いてコイルバネ５の弾力に抗して棒状突出部２方向に押すことによって制御棒４をベラ部３方向に移動させることができる。
従ってこのコイルバネ５によって制御棒４はベラ部３から離れる方向に付勢されているものであって、ベラ部３をフック部２１の開口部方向に向けて開口部を閉じる状態に位置された場合には、この封鎖状態に対して制御棒４は何ら機能しないものとなる。
【００２５】
しかし、例えば把持部１から突出している突出片６を用いてベラ部方向に押すことにより、把持部１内のコイルバネ５の弾力を抗する方向に押すこととなり、移動板７が棒状突出部２方向に移動することとなる。
これにより制御棒４も移動することとなり、この制御棒４の先端がベラ部３の軸部３１を介した長手部分に対向する端部方向に移動し、更にこの制御棒４の先端がこの端部を押すことができるものとなる。
【００２６】
このことにより、軸部３１を介してベラ部３の長手部分を回動させることができるものであり、フック部２１の開口部を開くことができる。
従って、フック部２１に頭髪等を位置させたうえでベラ部３の長手部分によってこのフック部２１の開きを封鎖して作業をした後に、この制御棒４によってベラ部３の長手部分を回動させてフック部２１を開くことによって、フック部２１に位置していた頭髪等を容易にフック部２１から外すことができる。
【００２７】
このように構成することにより、通常時はこのフック部２１に毛髪等を挟み込んでベラ部３の長手部分を回動して閉じた状態でこの増毛用結び具を使用することができる。
これにより、毛髪を挟み込んで結びつけるために掛けまわし、あるいは絡め、または毛髪内からの引きぬき等が確実に行えることとなる。
更に、作業時に必要に応じて閉じた状態のフック部２１を開くことができ、頭髪などを容易に外すこともできることとなる。
【００２８】
尚、本図構成においては移動板７のコイルバネ５を介した対向面にはコイルバネの他端は把持部１の内側壁部となっている。
この構成は一例であり他の構成を有するものでもよく、移動板７や内壁部に代えて他の構成を有するものを用いてもよい。
尚、コイルバネ５に関しても、一例として示すものであり、他の弾性部材等を用いるものであってもよい。
更に制御棒４もこのようにベラ部３を回動させ或いは移動させることにより封鎖していたフック部２１の開口部分の開くことができればよい。
【００２９】
従って例えば本図のように回動移動可能するものであればよく、この構成に限定されるものではない。
更にベラ部３の構成やフック部２１の構成などに関しても、この図に限定されるものではなく、他の構成を用いてもよいものである。
少なくとも頭髪や増毛用毛髪等をフック部２１内に封鎖したうえで、増毛用の作業が行える増毛用結び具であればよく、少なくともフック部２１における毛髪などの挟み込みなどを可能とし、更にこのフック部２１による封鎖を解除して開放状態とできる増毛用結び具であればよい。
【００３０】
図３は、本発明に係る増毛用結び具の一例を示す図であって、ベラ部３の長手部分を回動させてフック部２１が開いた状態を示す図である。
即ち、把持部１から突出している突出片６を移動させることによりこれと連動する把持部１の空洞内の制御棒４を棒状突出部２方向に押すことにより制御棒４をベラ部３方向に移動させ、ベラ部３の軸部３１を介した端部を押すことにより軸部３１を介してベラ部３の長手部分を回動させた状態を示す図である。
【００３１】
従って、フック部２１の開きを封鎖していたベラ部３の長手部分を回動させてフック部２１を開くことができる。
このことは制御棒４の一端がベラ部３の軸部３１を介して長手方向と対向する反対方向の端部に達する長さを有することによって達せられるものである。
これによって作業時に把持部１にある突出片６を操作することにより容易にベラ部３の長手部分を回動させてフック部２１の開き部分を開放状態にすることができるものである。
【００３２】
特に作業時に必要に応じてすぐにこの閉じているフック部２１のベラ部３の長手部分による封鎖を簡単にかつ速やかにこのベラ部３の長手部分を回動することができ、これによりフック部２１を開くことができるものとなる。
【００３３】
図４は一般的に多用されている裁縫用のタッピを示す図である。
本図に示すタッピは増毛作業時において多用されているものである。
従って本発明に係る増毛用結び具により本図に示すタッピに代えより作業性が高く作業効率のよい増毛用結び具を提供できるものとなる。
【符号の説明】
【００３４】
１        把持部
２        棒状突出部
２１      フック部
３        ベラ部
３１      軸部
４        制御棒
５        コイルバネ
６        突出片
７        移動板
【図１】
2019210562.tif 000003
【図２】
2019210562.tif 000004
【図３】
2019210562.tif 000005
【図４】
2019210562.tif 000006